(57)【要約】      （修正有）【課題】商品カタログそのものは更新することなく、最新の追加情報等も含めた大量の情報をカメラ付き携帯電話を介して入手できる商品カタログを提供する。【解決手段】インテリア関係の商品カタログ１には、情報が格納された二次元コード２が印刷され、この二次元バーコード２は、サイトへのリンク機能を有し、二次元バーコード２のデータには、アクセスし得るサイトのＵＲＬが格納されている。【選択図】図１
0003172271.tif 000002
【実用新案登録請求の範囲】
【請求項１】
情報が格納されたＱＲコードが印刷されていることを特徴とする商品カタログ。
【請求項２】
前記商品カタログは、インテリア関係の商品を紹介する商品カタログであって、該商品カタログの表紙あるいは内ページに前記ＱＲコードが印刷されていることを特徴とする請求項１に記載の商品カタログ。
【請求項３】
前記ＱＲコードは、サイトへのリンク機能を有し、該ＱＲコードのデータにはアクセスし得るサイトのＵＲＬが格納されていることを特徴とする請求項１または請求項２に記載の商品カタログ。
【考案の詳細な説明】
【技術分野】
【０００１】
本考案は、商品カタログに関するものである。
【背景技術】
【０００２】
従来、特許文献１に開示されているように、バーコードが印刷された商品カタログがあった。
【先行技術文献】
【特許文献】
【０００３】
【特許文献１】特開２００６−２５１８７０号公報
【考案の概要】
【考案が解決しようとする課題】
【０００４】
上記特許文献１に開示されているバーコードでは十分な情報量を得ることができないものであり、大量の文字や画像データ等の情報が得られる商品カタログの出現が望まれており、また、従来では、カタログ内の情報が変更された場合や追加された場合は、新たに商品カタログを作り直して配布する必要があるという問題点があった。
【課題を解決するための手段】
【０００５】
本考案は、大量の情報を得ることができ、また、情報の追加や変更があっても作り直す必要のない商品カタログの提供を目的とし、この目的の少なくとも一部を達成するために以下の手段を採った。
本考案の商品カタログは、情報が格納されたＱＲコードが印刷されていることを要旨とする。
【考案の効果】
【０００６】
ＱＲコード内に大量の情報を格納しておくことができるため、紙製の商品カタログでは得られない大量の情報を得ることができるものとなる。
【０００７】
また、本考案の商品カタログは、インテリア関係の商品を紹介する商品カタログであって、該商品カタログの表紙あるいは内ページに前記ＱＲコードが印刷されているものとすることもできる。
こうすれば、大量の画像データ等の情報を必要とするインテリア関係の商品カタログにおいて、大量の情報を顧客に提供することができるものとなる。
【０００８】
また、本考案の商品カタログにおいて、前記ＱＲコードは、サイトへのリンク機能を有し、該ＱＲコードのデータにはアクセスし得るサイトのＵＲＬが格納されているものとすることもできる。
こうすれば、ＱＲコードに対応したカメラ付き携帯電話で、ＱＲコードを撮影すると、サイトのＵＲＬが画面に表示され、そのＵＲＬを選択してサイトにアクセスすることができ、そのサイトが提供する情報を閲覧することができる。
また、このサイトでは情報を更新して最新の情報を提供することができるため、古い情報を入手することがなく、更新された或いは追加された商品情報を顧客は得ることができるものとなる。そのため、商品カタログを別途作り直す必要はなく、商品カタログそのものは長期間に亘り更新することなく顧客に配布して使用することができるものとなる。
【図面の簡単な説明】
【０００９】
【図１】商品カタログの斜視構成図である。
【図２】商品カタログ中の一枚の内ページの図である。
【図３】ＱＲコードをカメラ付き携帯電話で撮影してサイトにアクセスする説明図である。
【考案を実施するための形態】
【００１０】
次に、本考案を実施するための形態を実施例を用いて説明する。
図１は、商品カタログ１の斜視構成図であり、この商品カタログ１は、インテリア関係の商品を紹介する商品カタログであり、例えば、椅子，ソファ用等のレザークロス等を紹介する商品カタログであり、その表紙１ａの下部部位にＱＲコード２が印刷されている。
【００１１】
図２は、図１の商品カタログ１内の複数のページのうちの一つの内ページ１ｂであり、この内ページ１ｂでは、椅子に貼るレザークロスの各種色見本が掲載されており、この内ページ１ｂの上部にＱＲコード２が印刷されている。
このＱＲコード（株式会社デンソーウェーブの登録商標）２は、方形の領域内に、黒と白のセルと呼ばれる方形が所定の規格により配列されてデータが表示されるとともに、切り出しシンボルが隅の３箇所に表示されて構成されている。
【００１２】
このＱＲコード２は、ＱＲコード２に対応したカメラ付き携帯電話で撮影してデータを読み取ることができるように構成されている。
また、ＱＲコード２は、サイトへのリンク機能を有し、そのデータにはアクセスし得るサイトのＵＲＬが格納されている。そのため、このＱＲコード２を図３に示すようにカメラ付き携帯電話３で撮影すると、カメラ付き携帯電話３の画面にサイト４のＵＲＬが表示され、そのＵＲＬを選択するとサイト４にアクセスすることができ、サイト４が提供する情報を閲覧することができるものである。なお、サイト４では、追加される情報等を更新して最新の情報を提供することができるものである。
【００１３】
従って、カメラ付き携帯電話３の画面に表示されるＵＲＬを選択する操作だけでサイト４の情報を入手でき、カメラ付き携帯電話３さえ所持していれば、容易に多量の情報を入手することができる。なお、サイト４では情報を更新して最新の情報を提供しているため、最新の情報を得ることができるものとなる。
【００１４】
例えば商品カタログ１の発行時には予定されていなかった商品の追加や、後に発生した不具合に対する対処法など、後に追加された情報も、このＱＲコード２を撮影して入手することができる。そのため、商品カタログ１そのものは、例えば３年等の長期間に亘って更新することなく顧客の手元に置いておくことができ、商品カタログ１を作り直す必要がないためにコストが低減されるものとなり、追加された最新の情報はＱＲコード２をカメラ付き携帯電話３で撮影して良好に入手できるものである。
【００１５】
なお、ＱＲコード２は、商品カタログ１の表紙１ａあるいは内ページ１ｂに容易に印刷しておくことができるものであり、商品カタログ１の製造コストが嵩むことはない。
なお、このＱＲコード２には、テキストデータ，音声データ，画像データを格納しておくことができ、カメラ付き携帯電話３を用いてデータを大量に入手することができる。
例えば、ＱＲコード２には、商品カタログ１を発行した会社の住所，電話番号等のテキストデータおよび各種商品の写真等の画像データを格納することができ、また、音声データが格納されている場合は、カメラ付き携帯電話３を用いて、商品に関する音声による紹介を聴取することもできる。
【００１６】
その他、営業所の住所や地図等、各種の情報を大量にＱＲコード２に格納しておくことができ、特にインテリア関係の商品カタログ１においては、商品等の種類が多く、新しい使用態様等も追加されるため、商品カタログ１そのものを更新することなくＱＲコード２を介して追加情報等の最新の情報を容易に入手することができるものとなる。
【符号の説明】
【００１７】
１  商品カタログ
１ａ  表紙
１ｂ  内ページ
２  ＱＲコード
３  カメラ付き携帯電話
４  サイト
【図１】
0003172271.tif 000003
【図２】
0003172271.tif 000004
【図３】
0003172271.tif 000005